(57)【要約】【課題】電子ペーパーによる画像表示において特に主たるユーザーからの不可視領域に対して画像もしくは情報表示を抑制制御可能な画像表示装置を提供する。【解決手段】可撓性を有する表示面を備えた電子ペーパー表示装置１１００とこの電子ペーパー表示装置に対して画像表示を行う表示コントロール装置１０００とによって構成される。電子ペーパー表示装置１１００は、表示面の周辺に沿って配設された歪み検出手段を有し、表示コントロール装置１０００は、歪み検出手段からの検出情報に基き、電子ペーパー表示装置１１００の折り曲げ状態を推定する歪み量推定手段１００７と、電子ペーパー表示装置１１００の表示面の所望領域に選択的に表示を行わせる表示コントロール手段１００６とを有することを特徴とする。【選択図】      図１
2005165129.tif 000002
【特許請求の範囲】
【請求項１】
可撓性を有する表示面を備えた電子ペーパー表示装置とこの電子ペーパー表示装置に対して画像表示を行う表示コントロール装置とによって構成される画像表示装置であって、
前記電子ペーパー表示装置は、前記表示面の周辺に沿って配設された歪み検出手段を有し、
前記表示コントロール装置は、前記歪み検出手段からの検出情報に基き、前記電子ペーパー表示装置の折り曲げ状態を推定する歪み量推定手段と、前記電子ペーパー表示装置の表示面の所望領域に選択的に表示を行わせる表示コントロール手段とを有することを特徴とする画像表示装置。
【請求項２】
前記歪み検出手段は、前記表示面の周辺に沿って並設された複数の歪みゲージにより構成される歪みセンサアレーからなり、各歪みゲージの抵抗値変化量が検出されるようにしたことを特徴とする請求項１に記載の画像表示装置。
【請求項３】
前記電子ペーパー表示装置はさらに、前記表示面の周辺に沿って配設された可視領域指定手段を有し、この可視領域指定手段に対する正対方向を基準にして、前記表示面におけるユーザー視野に入る領域を特定するようにしたことを特徴とする請求項１または２に記載の画像表示装置。
【請求項４】
可撓性を有する表示面を備えた電子ペーパー表示装置に表示を行わせるための表示方法であって、
前記表示面の折り曲げ状態を判別する判別工程と、
前記判別工程において判別された折り曲げ状態に基づく前記表示面領域に、表示を行わせる表示制御工程と、を有することを特徴とする表示方法。
【発明の詳細な説明】
【技術分野】
【０００１】
本発明は、電子ペーパーを用いた画像表示装置及び表示方法に関する。
【背景技術】
【０００２】
近年、紙に代わる表示媒体として電子ペーパーがある（例えば特許文献１）。電子ペーパーには、表示層と制御薄膜層が一体化した柔軟性を持つ薄膜ディスプレー装置をさし、表示層の方式として、マイクロカプセル電気泳動方式やツイストボール方式などがある。その特徴として、電子写真現像方式を用いた印刷装置に匹敵する高解像度と、表示層でのメモリ性、折り曲げも可能な柔軟性が挙げられる。
【０００３】
かかる電子ペーパーの柔軟性を生かせば、想定される使用状況ごとに複数の大きさの電子ペーパーを用意する必要はなく、その可撓性により大判の電子ペーパー１枚を自由に折り曲げて所望の大きさで表示、閲覧をすることが可能である。
【０００４】
【特許文献１】特開平１０−１７１６２０号公報
【発明の開示】
【発明が解決しようとする課題】
【０００５】
電子ペーパーを折り曲げた状態で、文書やデータの表示を行う場合、ユーザーの視野に入らない領域（裏側へ折れ曲がった部分等）に表示を行うことは、実質的に無駄な処理になってしまう。またこの場合、公衆の場で閲覧を行う際には、裏面の情報はセキュリティあるいはプライバシー等の観点から非表示であるべきである。しかしながら、従来の電子ペーパーではユーザーから見て裏側へ折れ曲がった部分（不可視領域）でも画像もしくは情報が表示されてしまうのが実情であった。
【０００６】
本発明は上述の問題点に鑑み、電子ペーパーによる表示において特に主たるユーザーからの不可視領域に対して画像もしくは情報表示を抑制制御可能な画像表示装置を提供することを目的とする。
【課題を解決するための手段】
【０００７】
本発明の画像表示装置は、可撓性を有する表示面を備えた電子ペーパー表示装置とこの電子ペーパー表示装置に対して画像表示を行う表示コントロール装置とによって構成される画像表示装置であって、前記電子ペーパー表示装置は、前記表示面の周辺に沿って配設された歪み検出手段を有し、前記表示コントロール装置は、前記歪み検出手段からの検出情報に基き、前記電子ペーパー表示装置の折り曲げ状態を推定する歪み量推定手段と、前記電子ペーパー表示装置の表示面の所望領域に選択的に表示を行わせる表示コントロール手段とを有することを特徴とする。
【０００８】
また、本発明の画像表示装置において、前記歪み検出手段は、前記表示面の周辺に沿って並設された複数の歪みゲージにより構成される歪みセンサアレーからなり、各歪みゲージの抵抗値変化量が検出されるようにしたことを特徴とする。
【０００９】
また、本発明の画像表示装置において、前記電子ペーパー表示装置はさらに、前記表示面の周辺に沿って配設された可視領域指定手段を有し、この可視領域指定手段に対する正対方向を基準にして、前記表示面におけるユーザー視野に入る領域を特定するようにしたことを特徴とする。
また、可撓性を有する表示面を備えた電子ペーパー表示装置に表示を行わせるための表示方法であって、前記表示面の折り曲げ状態を判別する判別工程と、前記判別工程において判別された折り曲げ状態に基づく前記表示面領域に、表示を行わせる表示制御工程と、を有することを特徴とする。
【００１０】
本発明の画像表示装置において、電子ペーパー表示装置の歪み検出手段からの検出情報に基き、歪み量推定手段が電子ペーパーパネルの折り曲げ状態を推定するようになっている。そして、電子ペーパーパネルの折り曲げ状態に応じて表示面の所望領域に選択的に表示を行わせる。たとえば、裏側に折れ曲がった領域については画像表示しないように制御することができる。
また、不可視領域となる角度の描画領域の画像を消去することで、折り曲げられた状態で裏面に位置する表示面に対して表示を行わないようにできる。
また、ユーザにより可視領域を指定できるので、どの面がユーザに正対するかを判別することができる。
【発明の効果】
【００１１】
本発明によれば、無駄な画像表示をなくし効率的な画象表示を実現する。また、セキュリティ等についても万全性を確保することが可能になる。
【発明を実施するための最良の形態】
【００１２】
以下、添付図面を参照しながら本発明による好適な実施形態を説明する。
（第１の実施形態）
図１は、本発明を適用可能な電子ペーパー表示装置およびその表示コントロール装置を含む画像表示装置の構成を示すブロック図である。図１において、1000は電子ペーパー表示装置の表示コントロール装置を示し、1100は電子ペーパー表示装置を示す。なお、電子ペーパー表示装置1100の基本構成は、前述したように表示層と制御薄膜層が一体化した柔軟性を持つ薄膜ディスプレー装置となっている。
【００１３】
表示コントロール装置1000は、CPU 1001を備え、ROM 1002 に記憶された制御ソフトウェアを実行し、システムバス1004に接続される各装置もしくは手段を統括的に制御する。ROM 1002に記憶されたプログラムにより、本発明の表示方式の各処理が実行される。
1003は RAM であり、CPU 1001の主メモリ、ワークエリア等として機能する。
1005は操作パネルコントロール手段であり、操作パネル1101 からの入力を制御する。
1006は表示コントロール手段であり、電子ペーパー表示装置1100の表示部1102 の画面表示を制御する。
1007は歪み量推定装置であり、電子ペーパー表示装置1100上の歪みセンサアレー1103の抵抗値の変化を検知し、電子ペーパー表示装置1100の折り曲げ状態を推定する。
1008はネットワークインタフェースであり、必要に応じて接続されLAN 1200に、他のネットワーク機器と双方向のデータのやり取りを行う。
【００１４】
図２は、歪みセンサアレー1103 の正面図および平断面図である。図２において、2000 は電子ペーパーパネル本体である。
2001は歪みゲージ単体であり、抵抗体薄膜からなる。歪みゲージ単体2001は複数個が並べられて歪みセンサアレー1103を構成し、歪みセンサアレー1103は電子ペーパーパネル本体2000の表面および裏面に貼り付けられる。
2002は電子ペーパーパネル本体2000と歪みゲージ単体2001とを接合する接着剤層であり、絶縁体となっている。
2003は歪みゲージ単体2001を保護するための保護フィルム層であり、絶縁体からなる柔軟な樹脂フィルムからなっている。
【００１５】
図３は、歪みセンサアレー1103により電子ペーパーパネルの折り曲げ状態を推定する方法を模式的に示している。図３において、曲率半径の小さい内側の歪みゲージ単体2001（歪みセンサ）の歪みをε1 とし、外側をε2 とする。また、電子ペーパーパネル本体2000の厚みをd 、歪みゲージ単体2001のゲージ長をLとし、図示のように折り曲げられた角度をθとすると、次の関係式が得られる。
ε1 = −dθ/2L
ε2 =  dθ/2L
θ= (ε2 − ε1 )L/d
【００１６】
よって、求めるべき歪εは、下記式で表される。
ε＝ΔＬ／Ｌ＝（ΔＲ/Ｒ）／Ｋ
なお、Ｒは歪みセンサのゲージ抵抗値、ΔＲは歪みを受けたときの抵抗値変化量、Ｋ
は歪みセンサのゲージ率である。さらに、内側の歪みセンサの抵抗値変化量をΔＲ1
、外側の歪みセンサの抵抗値変化量をΔＲ2とすると、電子ペーパーパネルの折り曲
げ角度θは、下記式のように推定される。
θ＝（ΔＲ2−ΔＲ1）Ｌ／Ｋｄｒ
この場合、歪みセンサは複数並べられてアレー状となっているため、任意のセンサ位置での折り曲げ角度は、各センサの折り曲げ角度を積算することで求めることができる。
【００１７】
図４は、本発明の電子ペーパー表示装置1100の外観を示す模式図である。図４において、4001は図１中の操作パネル1101に相当する。操作パネル1101上には電源スイッチやカーソルキーが配置され、図示されない電子ペーパー表示面上に表示されるメニューの操作や、画面スクロールなどの際に使用される。
4002は図1中の歪みセンサアレー1103に相当する。
4003は電子ペーパー表示面である。なお、この電子ペーパー表示面4003は、論理的には図示するように歪みセンサアレー1103の各歪みセンサの幅で区切られており、描画および消去は、センサの幅で区切られる領域を単位として実行される。
【００１８】
図５は、本発明の電子ペーパー表示装置1100においてユーザー可視面の描画およびユーザー不可視面の消去処理を示すフローチャートである。つぎに、この処理について説明する。
ステップS501にて、歪み量推定装置1007は、歪みセンサアレー1103の一番端(始端) の歪みセンサに対して、前述した抵抗値の検出を行う。この抵抗値よりステップS502 にて、１歪みセンサの幅における折り曲げ角度θを推定する。この折り曲げ角度θが、定められた一定の角度（−90<θ< 90） の範囲にあるかどうかをステップS503 にて判断し、もし範囲外の角度であったなら、ステップS505 にて、該歪みセンサと同じ幅に相当する電子ペーパー表示面4003上の表示領域に対して消去処理を行う。また、折り曲げ角度θが定められた範囲内であった場合は、ステップS504にて描画処理を行う。描画される画像は、電子ペーパー表示コントローラ1006においてレンダリングされた文書などのビットマップデータである。
【００１９】
その後、ステップS506にて、歪みセンサアレー1103上の隣の歪みセンサに対して、抵抗値の検出を行う。以後、ステップS502では、前回測定した折り曲げ角度θに、今回計測した歪みセンサの折り曲げ角度を積算することにより、絶対的な折り曲げ角度を求めていく。このような処理を繰り返すことにより、電子ペーパー表示装置1100の始端から終端までをスキャンし、折り曲げ角度が一定値以上の描画領域に対しては、表示を行わないことが可能になる。なお、スキャンが終端まで終了した際には、また始端にもどって処理を繰り返す。
【００２０】
（第２の実施形態）
図６は、本発明の第2の実施形態を示す外観図である。
第２の実施形態では第１の実施形態の電子ペーパー表示装置1100に加えて、複数のタッチセンサ素子5001が装備されている。タッチセンサ素子5001は、歪みセンサアレー1103のなかの歪みゲージの片面の個数と同等の個数が装備され、歪み量推定装置1007に電気的に接続されている。それぞれのタッチセンサ素子5001は、ユーザーに対して正対する面の方向を検知するために設置されており、ユーザーはタッチセンサ素子5001のひとつに触れることによって、現在のユーザーの正対方向を電子ペーパー表示コントローラ1006に対して指示することができる。
【００２１】
第２の実施形態の構成の場合、タッチセンサ素子5001の位置における折り曲げ角度がφであったとすると、図５に示されるステップS502 における可視角度の推定の際、定められた一定の角度（−90＋φ<θ< 90φ） の範囲にあるかどうかをステップS503 にて判断する。この場合、もし範囲外の角度であったなら、ステップS505 にて、該歪みセンサと同じ幅に相当する電子ペーパー表示面4003上の表示領域に対して、消去処理を行うことになる。
【図面の簡単な説明】
【００２２】
【図１】本発明の第１の実施形態における画像表示装置の構成を示すブロック図である。
【図２】本発明の第１の実施形態における歪みセンサアレーの正面図および平断面図である。
【図３】本発明の第１の実施形態における電子ペーパーパネルの折り曲げ状態を推定する方法を模式的に示す図である。
【図４】本発明の第１の実施形態における電子ペーパー表示装置の外観を示す斜視図である。
【図５】本発明の第１の実施形態におけるユーザー可視面の描画およびユーザー不可視面の消去処理を示すフローチャートである。
【図６】本発明の第２の実施形態における外観を示す斜視図である。
【符号の説明】
【００２３】
1000  表示コントロール装置
1001  CPU
1002  ROM 
1003  RAM 
1004  システムバス
1005  操作パネルコントロール手段
1006  表示コントロール手段
1007  歪み量推定装置
1008  ネットワークインタフェース
1100  電子ペーパー表示装置
1101  操作パネル
1102  電子ペーパー表示部
1103  歪みセンサアレー
2000  電子ペーパーパネル本体
2001  歪みゲージ単体
2002  接着剤層
2003  保護フィルム層
【図１】
2005165129.tif 000003
【図２】
2005165129.tif 000004
【図３】
2005165129.tif 000005
【図４】
2005165129.tif 000006
【図５】
2005165129.tif 000007
【図６】
2005165129.tif 000008